(57)【要約】  対象物の動きをベクトルとして測定可能な超音波診断システム及び超音波診断方法を提供する。  被検体の周囲に配置され、超音波の送信又は受信の少なくともいずれかを行う複数の素子と、複数の素子を制御する制御部と、診断対象から反射した超音波の反射波に基づいて診断対象の速度ベクトルを計測する演算部を備え、制御部は少なくとも異なる２つの領域に配置された素子が、互いに異なる角度で反射した反射波を受信するように制御し、演算部は、少なくとも２つの異なる角度で反射した複数の反射波に基づいて、診断対象の速度ベクトルを計測する。
2017051903.tif 000002
【特許請求の範囲】
【請求項１】
被検体の周囲に配置され、超音波の送信又は受信の少なくともいずれかを行う複数の素子と、
前記複数の素子のうち、第１の領域に配置された素子の少なくとも一部によって、前記被検体内の診断対象に対して、第１の角度で超音波を送信し、前記複数の素子のうち第２の領域に配置された素子の少なくとも一部によって、前記診断対象から第２の角度で反射される前記超音波の反射波を受信し、前記複数の素子のうち第３の領域に配置された素子の少なくとも一部によって、前記診断対象から前記第２の角度とは異なる第３の角度で反射される前記超音波の反射波を受信するように、前記複数の素子を制御する制御部と、
前記第２の領域に配置された素子の少なくとも一部が受信した反射波と前記第３の領域に配置された素子の少なくとも一部が受信した反射波とに基づいて、前記診断対象の速度ベクトルを演算する演算部と、
を備える超音波診断システム。
【請求項２】
被検体の周囲に配置され、超音波の送信又は受信の少なくともいずれかを行う複数の素子と、
前記複数の素子のうち、第１の領域に配置された素子の少なくとも一部によって、前記被検体内の診断対象に対して、第１の角度で第１の超音波を送信し、前記複数の素子のうち前記第１の領域に配置された素子の少なくとも一部によって、前記診断対象から前記第１の角度で反射される前記第１の超音波の反射波を受信し、前記複数の素子のうち、第２の領域に配置された素子の少なくとも一部によって、前記診断対象に対して、第２の角度で第２の超音波を送信し、前記複数の素子のうち前記第２の領域に配置された素子の少なくとも一部によって、前記診断対象から前記第２の角度で反射される前記第２の超音波の反射波を受信するように、前記複数の素子を制御する制御部と、
前記第１の領域に配置された素子の少なくとも一部が受信した反射波と前記第２の領域に配置された素子の少なくとも一部が受信した反射波とに基づいて、前記診断対象の速度ベクトルを演算する演算部と、
を備える超音波診断システム。
【請求項３】
前記演算部は、さらに、
前記診断対象中を流れる流体の速度を計測する、速度ベクトルを計測するモードと、流量を計測するモードとを有し、
前記速度ベクトルを計測するモードにおける前記超音波の送信を行う素子が分布する第１の範囲と、前記超音波の受信を行う素子が分布する第２の範囲と、前記流量を計測するモードにおける前記超音波の送信を行う素子が分布する第３の範囲と、前記超音波の受信を行う素子が分布する第４の範囲とにおいて、前記第１の範囲が前記第３の範囲より狭い、または前記第２の範囲が前記第４の範囲より狭い、請求項１または２に記載の超音波診断システム。
【請求項４】
前記演算部は、
前記速度ベクトルの計測を行うモードにおいて、前記速度ベクトルにおける速度成分ごとに異なるカットオフ値を設定する体動除去フィルタを備えることを特徴とする、請求項３に記載の超音波診断システム。
【請求項５】
被検体の周囲に配置され、超音波の送信又は受信の少なくともいずれかを行う複数の素子と、
前記複数の素子のうち少なくとも第１の領域に配置された素子によって、前記被検体内の診断対象から反射される第１の超音波の反射波を受信し、前記複数の素子のうち少なくとも第２の領域に配置された素子によって、前記診断対象から反射される第２の超音波の反射波を受信するように、前記複数の素子を制御する制御部と、
前記第１の領域に配置された素子が受信した前記第１の超音波の反射波から第１の画像の撮像を行い、前記第２の領域に配置された素子が受信した前記第２の超音波の反射波から第２の画像の撮像を行い、前記第１の画像と前記第２の画像のそれぞれについて、画像を並べ替えて構成されるベクトルを時間方向に並べた２つの行列の算出を行い、前記２つの行列を時間方向と直交する方向に並べた第３の行列の算出を行い、前記第３の行列から、前記診断対象の血流情報を抽出する、演算部とを備える超音波診断システム。
【請求項６】
被検体の周囲に配置され、超音波の送信又は受信の少なくともいずれかを行う複数の素子と、
前記複数の素子のうち少なくとも第１の領域に配置された素子によって、前記被検体内の診断対象に第１の超音波を送信し、前記複数の素子のうち少なくとも第２の領域に配置された素子によって、前記診断対象に第２の超音波を送信するように、前記複数の素子を制御する制御部と、
前記第１の領域に配置された素子が送信した前記第１の超音波の反射波から第１の画像の撮像を行い、前記第２の領域に配置された素子が送信した前記第２の超音波の反射波から第２の画像の撮像を行い、前記第１の画像と前記第２の画像のそれぞれについて、画像を並べ替えて構成されるベクトルを時間方向に並べた２つの行列の算出を行い、前記２つの行列を時間方向と直交する方向に並べた第３の行列の算出を行い、前記第３の行列から、前記診断対象の血流情報を抽出する、演算部とを備える超音波診断システム。
【請求項７】
前記演算部は、
前記第３の行列から体動と血流に分離を行い、体動を除去するフィルタを備えたことを特徴とする、請求項５又は６に記載の超音波診断システム。
【請求項８】
前記体動を除去するフィルタは、特異値分解もしくは固有値分解であることを特徴とする、請求項７に記載の超音波診断システム。
【請求項９】
前記演算部は、
前記反射波の受信時において受信フォーカス毎に、独立した時間軸の設定を設定し、異なる時相に取得された信号間の相互相関の演算において、相互相関の計算軸に前記独立した時間軸を用いることを特徴とする、請求項１または２に記載の超音波診断システム。
【請求項１０】
被検体の周囲に配置され、超音波の送信又は受信の少なくともいずれかを行う複数の素子と、を備える診断装置を用いて行う超音波診断方法であって、
前記複数の素子のうち第１の領域に配置された素子の少なくとも一部によって、前記被検体内の診断対象に対して、第１の角度で超音波を送信し、前記複数の素子のうち第２の領域に配置された素子の少なくとも一部によって、前記診断対象から第２の角度で反射される前記超音波の反射波を受信し、前記複数の素子のうち第３の領域に配置された素子の少なくとも一部によって、前記診断対象から前記第２の角度とは異なる第３の角度で反射される前記超音波の反射波を受信するように、前記複数の素子を制御するステップと、
前記第２の領域に配置された素子の少なくとも一部が受信した反射波と前記第３の領域に配置された素子の少なくとも一部が受信した反射波とに基づいて、前記診断対象の速度ベクトルを演算するステップと、
を備える超音波診断方法。
【請求項１１】
被検体の周囲に配置され、超音波の送信又は受信の少なくともいずれかを行う複数の素子と、を備える診断装置を用いて行う超音波診断方法であって、
前記複数の素子のうち、第１の領域に配置された素子の少なくとも一部によって、前記被検体内の診断対象に対して、第１の角度で第１の超音波を送信し、前記複数の素子のうち前記第１の領域に配置された素子の少なくとも一部によって、前記診断対象から前記第１の角度で反射される前記第１の超音波の反射波を受信し、前記複数の素子のうち、第２の領域に配置された素子の少なくとも一部によって、前記診断対象に対して、第２の角度で第２の超音波を送信し、前記複数の素子のうち前記第２の領域に配置された素子の少なくとも一部によって、前記診断対象から前記第２の角度で反射される前記第２の超音波の反射波を受信するように、前記複数の素子を制御するステップと、
前記第１の領域に配置された素子の少なくとも一部が受信した反射波と前記第２の領域に配置された素子の少なくとも一部が受信した反射波とに基づいて、前記診断対象の速度ベクトルを演算するステップと、
を備える超音波診断方法。
【請求項１２】
被検体の周囲に配置され、超音波の送信又は受信の少なくともいずれかを行う複数の素子と、
前記複数の素子の一部を構成する素子から被検体内の診断対象に対して超音波を送信し、前記診断対象から反射される前記超音波の反射波を、前記診断対象からの反射角度が互いに異なる領域に配置された２つ以上の開口によって受信するように、前記複数の素子を制御する制御部と、
前記２つ以上の開口を構成する素子群がそれぞれ受信した反射波に基づいて、前記診断対象の速度ベクトルを演算する演算部と、
を備える超音波診断システム。
【請求項１３】
被検体の周囲に配置され、超音波の送信又は受信の少なくともいずれかを行う複数の素子と、
前記複数の素子のうち、第１の領域に配置された素子から被検体内の診断対象に対して第１の超音波を送信し、前記診断対象から反射される前記第１の超音波の反射波を、前記第１の領域に配置された素子で受信し、
前記複数の素子のうち、第２の領域に配置された素子から前記診断対象に対して第２の超音波を送信し、前記診断対象から反射される前記第２の超音波の反射波を、前記第２の領域に配置された素子で受信するように、前記複数の素子を制御する制御部と、
前記第１の超音波の反射波と前記第２の超音波の反射波とに基づいて、前記診断対象の速度ベクトルを演算する演算部と、
を備える超音波診断システム。
【発明の詳細な説明】
【関連出願の相互参照】
【０００１】
本出願は、２０１５年９月２４日に出願された日本出願番号（特願）２０１５−１８７０２４号に基づくもので、ここにその記載内容を援用する。
【技術分野】
【０００２】
本発明は、超音波を照射して被検体の断層画像を作成する超音波診断システム及び超音波診断方法に関する。
【背景技術】
【０００３】
非侵襲性である超音波による診断システムは、生体を直接切開して観察する外科手術の必要がないため、被検体内部の情報を診断する技術として医療分野で広く用いられている。
従来の超音波診断システムでは、超音波を被検体に照射して、当該被検体から反射される反射波を解析することで被検体の断層画像を作成している。音は疎密波であるため、超音波の音圧は、当該超音波の進行方向に対しては変動しながら伝番する。超音波診断においては、被検体中に存在する散乱体によって散乱されたエコー信号を受信する。従来の超音波診断システムは、散乱体の位置の時間変動に起因するエコー信号の変動を測定することで、対象物の動きを検出することができる。【０００４】
たとえば、特許文献１に記載されている診断装置は、拍動する血管に対し垂直に超音波を送波し、反射エコーを受波する超音波プローブとを備えており、反射エコーの中から信号処理によってドップラー効果に起因する周波数シフトした成分を抽出している。特許文献１に記載されている診断装置では、反射エコーを検知信号として血流速度を演算している。
【先行技術文献】
【特許文献】
【０００５】
【特許文献１】特開平５−２３３３５号公報
【非特許文献】
【０００６】
【非特許文献１】IEEE Trans. Ultrason. Ferr. Freq. Contrl., vol. 45 No.3 pp.837-851, 1998.
【発明の概要】
【発明が解決しようとする課題】
【０００７】
しかし、超音波の進行方向とは直交する方向に対象物が動いた場合には、進行方向に対象物が動いた場合に比べて、エコー信号の変化は小さい。したがって、特許文献１に記載されているような従来の超音波装置では、超音波を照射した方向に関する成分しか対象物の動きを検知することができないという課題がある。【０００８】
ベクトルとしてドップラー血流計測をする手法としては、非特許文献１に示すような、送受信する開口方向に位相変調を掛ける方法や、一つのリニアもしくはセクタ等のプローブの中に二つの角度の異なるビームを設定する方法などが提案されている。しかし、前者には送信エネルギーが低下してしまうという課題があった。また後者には、一つのプローブ内で角度の異なるビームを設定しても深部においては互いになす角が小さくなってしまうため、診断対象が深部に配置された場合、ベクトルが計測できないという課題があった。【０００９】
そこで、本発明は、上記事情に鑑み、送信エネルギーの低下を防ぎ、対象物との位置関係に関わらず対象物の動きをベクトルとして測定可能な超音波診断システム及び超音波診断方法を提供しようとするものである。
【課題を解決するための手段】
【００１０】
本発明の所定の実施形態に係る超音波診断システムは、被検体の周囲に配置され、超音波の送信又は受信の少なくともいずれかを行う複数の素子と、複数の素子のうち第１の領域に配置された素子の少なくとも一部によって、被検体内の診断対象に対して、第１の角度で超音波を送信し、複数の素子のうち第２の領域に配置された素子の少なくとも一部によって、診断対象から第２の角度で反射される超音波の反射波を受信し、複数の素子のうち第３の領域に配置された素子の少なくとも一部によって、診断対象から第２の角度とは異なる第３の角度で反射される超音波の反射波を受信するように、複数の素子を制御する制御部と、第２の領域に配置された素子の少なくとも一部が受信した反射波と第３の領域に配置された素子の少なくとも一部が受信した反射波とに基づいて、診断対象の速度ベクトルを演算する演算部と、を備えるものを含む。【００１１】
また、本発明の所定の実施形態に係る超音波診断システムは、被検体の周囲に配置され、超音波の送信又は受信の少なくともいずれかを行う複数の素子と、複数の素子のうち、第１の領域に配置された素子の少なくとも一部によって、被検体内の診断対象に対して、第１の角度で第１の超音波を送信し、複数の素子のうち第１の領域に配置された素子の少なくとも一部によって、診断対象から第１の角度で反射される第１の超音波の反射波を受信し、複数の素子のうち、第２の領域に配置された素子の少なくとも一部によって、診断対象に対して、第２の角度で第２の超音波を送信し、複数の素子のうち第２の領域に配置された素子の少なくとも一部によって、診断対象から、第２の角度で反射される第２の超音波の反射波を受信するように、複数の素子を制御する制御部と、第１の領域に配置された素子の少なくとも一部が受信した反射波と第２の領域に配置された素子の少なくとも一部が受信した反射波とに基づいて、診断対象の速度ベクトルを演算する演算部と、を備えるものを含む。【００１２】
本発明の所定の実施形態に係る超音波診断方法は、被検体の周囲に配置され、超音波の送信又は受信の少なくともいずれかを行う複数の素子と、を備える診断装置を用いて行う超音波診断方法であって、複数の素子のうち第１の領域に配置された素子の少なくとも一部によって、被検体内の診断対象に対して、第１の角度で超音波を送信し、複数の素子のうち第２の領域に配置された素子の少なくとも一部によって、診断対象から第２の角度で反射される超音波の反射波を受信し、複数の素子のうち第３の領域に配置された素子の少なくとも一部によって、診断対象から第２の角度とは異なる第３の角度で反射される超音波の反射波を受信するように、複数の素子を制御するステップと、第２の領域に配置された素子の少なくとも一部が受信した反射波と第３の領域に配置された素子の少なくとも一部が受信した反射波とに基づいて、診断対象の速度ベクトルを演算するステップと、を備えるものを含む。【００１３】
また、本発明の所定の実施形態に係る超音波診断方法は、被検体の周囲に配置され、超音波の送信又は受信の少なくともいずれかを行う複数の素子と、を備える診断装置を用いて行う超音波診断方法であって、複数の素子のうち、第１の領域に配置された素子の少なくとも一部によって、被検体内の診断対象に対して、第１の角度で第１の超音波を送信し、複数の素子のうち第１の領域に配置された素子の少なくとも一部によって、診断対象から第１の角度で反射される第１の超音波の反射波を受信し、複数の素子のうち、第２の領域に配置された素子の少なくとも一部によって、診断対象に対して、第２の角度で第２の超音波を送信し、複数の素子のうち第２の領域に配置された素子の少なくとも一部によって、診断対象から第２の角度で反射される第２の超音波の反射波を受信するように、複数の素子を制御するステップと、第１の領域に配置された素子の少なくとも一部が受信した反射波と第２の領域に配置された素子の少なくとも一部が受信した反射波とに基づいて、診断対象の速度ベクトルを演算するステップと、を備えるものを含む。【００１４】
また、本発明の超音波診断システムは、被検体の周囲に配置され、超音波の送信又は受信の少なくともいずれかを行う複数の素子と、前記複数の素子の一部を構成する素子から被検体内の診断対象に対して超音波を送信し、前記診断対象から反射される前記超音波の反射波を、前記診断対象からの反射角度が互いに異なる領域に配置された２つ以上の素子によって受信するように、前記複数の素子を制御する制御部と、前記２つ以上の素子がそれぞれ受信した反射波に基づいて、前記診断対象の速度ベクトルを演算する演算部と、を備える。【００１５】
さらに、本発明の超音波診断システムは、被検体の周囲に配置され、超音波の送信又は受信の少なくともいずれかを行う複数の素子と、前記複数の素子のうち、第１の領域に配置された素子から被検体内の診断対象に対して第１の超音波を送信し、前記診断対象から反射される前記第１の超音波の反射波を、前記第１の領域に配置された素子で受信し、前記複数の素子のうち、第２の領域に配置された素子から前記診断対象に対して第２の超音波を送信し、前記診断対象から反射される前記第２の超音波の反射波を、前記第２の領域に配置された素子で受信するように、前記複数の素子を制御する制御部と、前記第１の超音波の反射波と前記第２の超音波の反射波とに基づいて、前記診断対象の速度ベクトルを演算する演算部と、を備えるものを含む。
【発明の効果】
【００１６】
本発明によれば、対象物の動きをベクトルとして測定することが可能になる。
【図面の簡単な説明】
【００１７】
【図１】本発明の実施形態における超音波診断システムの構成を模式的に示す図である。
【図２】図１に示す超音波診断システムのＡＡ´断面図である。
【図３】本発明の実施形態におけるリングアレイＲの全開口を使った場合の超音波の音圧分布を模式的に示す図である。
【図４】本発明の実施形態における、構成１での超音波の送受信の様子を模式的に示す図である。
【図５】本発明の実施形態における、構成１での血流の流速計測処理のフローを示すチャートある。
【図６】本発明の実施形態における、構成２での超音波の送受信の様子を模式的に示す図である。
【図７】本発明の実施形態における、構成２での血流の流速計測処理のフローを示すチャートある。
【図８】本発明の実施形態における、各パケットで受信したドップラー信号と血流速度との相関関係を示すグラフである。
【図９】本発明の実施形態における、焦点近傍の送受信の感度の空間分布を示す図である。
【図１０】本発明の実施形態における、体動と異なる方向の低速血流を区別して取り出す処理を模式的に示す図である。
【図１１】本発明の実施形態における、ドップラー画像をコンパウンドする処理を模式的に示す図である。
【図１２】本発明の実施形態における、体細胞除去フィルタの適用例の一例を模式的に示す図である。
【図１３】散乱体分布に対して、体動と血流を模擬した動きを与えた１２８フレームの空間分布データを時間方向に投影した結果を示すものである。
【図１４】比較例の手法によって、血流像の表示を行った結果を示すものである。
【図１５】比較例の手法によって、血流像の表示を行った結果を示すものである。
【図１６】本発明の実施形態における体動除去の手法によって、血流像の表示を行った結果を示すものである。
【図１７】２つの体動処理法の比較説明図である。
【発明を実施するための形態】
【００１８】
以下、本発明の実施の形態の１つについて詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。さらにまた、図面における各種の寸法比率は、その図示の比率に限定されるものではない。
【００１９】
[実施形態]
本発明の一つの実施形態に係る超音波診断システム１０は、人体等の被検体に超音波を照射し、反射される反射波（以下、同一場所に対して異なる時間に取得された複数の反射波から解析して対象の時間変化成分を抽出した信号を「ドップラー信号」とも呼ぶ。）を用いて、被検体内の組織、特に血流を撮像するためのシステムとして構成される。被検体は、人体もしくはその構成部位であり、手、腕、足、臀部、乳房等が挙げられる。本実施形態に係る超音波診断システム１０では、被検体Ｔ内の血流の流量と流速を計測することができる。癌細胞が発生した箇所には新生血管と呼ばれる血管が新たに形成されるため血管の密度が高くなる。超音波診断システム１０は、血流量と血流速とを計測して計測結果を画像化することができる。医師は、超音波診断システム１０の撮像画像を確認することで、悪性腫瘍（以下、悪性腫瘍のことを「癌」とも呼ぶ。）等の病変を診断することができる。以下、超音波診断システム１０の構成について図１を参照しながら説明する。
【００２０】
図１に示すように、超音波診断システム１０は、リングアレイＲと、スイッチ１１０と、送受信回路１２０と、演算回路（演算部の一例である）１３０と、画像表示装置１４０とを備えている。
【００２１】
リングアレイＲは、複数の振動子が組み合わさって構成される、好ましくは直径８０〜５００ｍｍ、より好ましくは直径１００〜３００ｍｍのリング型形状の振動子である。また、リングアレイRは、直径を可変とする構成をとることもできる。本実施形態では一例として、４つの凹面型振動子Ｐ０１〜Ｐ０４が組み合わさった、直径２００ｍｍのリング型形状の振動子である。この例では、それぞれの凹面型振動子Ｐ０１〜Ｐ０４は２５６個の短冊形圧電素子（以下、単に「素子」とも呼ぶ。）から構成されている。振動子を構成する素子の数は限定されず、好ましくは１〜１０００個、より好ましくは１００〜５００個である。本実施形態において、素子は、電気的信号と超音波信号とを相互変換する機能を有する。素子は被検体Ｔに超音波を送信し、被検体Ｔから反射される反射波（ドップラー信号）を受信して電気的信号を受信データとして形成する。なお、本実施形態において、各素子は、超音波を送信する送信素子と超音波を受信する受信素子との両方の機能を備えるものとして説明するが、これに限定されない。たとえば、各素子が送信素子又は受信素子のいずれかであり、複数の送信素子及び複数の受信素子がそれぞれリング状に配置されるものとしてもよい。また、送信素子と受信素子の両方の機能を備えるもの、送信素子及び受信素子が混在する構成であってもよい。
【００２２】
図１には一部しか示さないが、凹面型振動子Ｐ０１は素子ｅ１〜ｅ１２８、素子ｅ８９７〜ｅ１０２４の２５６個の素子を有している。また、凹面型振動子Ｐ０２は素子ｅ１２９〜ｅ３８４、凹面型振動子Ｐ０３は素子ｅ３８５〜ｅ６４０、凹面型振動子Ｐ０４は素子ｅ６４１〜ｅ８９６の２５６個の素子をそれぞれ有している。素子ｅ１〜ｅ１０２４は、番号の昇順にリングに沿って時計周りに、挿入部ＳＰの周囲に、約０．３５２度ずつの等間隔で設けられている。以下では、素子ｅ１が配置されている位置を０度とし、時計回りに素子ｅ１から素子ｅ５１２までを０度から１８０度とし、反時計回に素子ｅ１から素子ｅ５１２までを０度から−１８０度として説明する。
【００２３】
リングアレイＲの中央には、被検体Ｔを挿入するための挿入部ＳＰ（直径は限定されないが、直径７０〜４９０ｍｍ、より好ましくは直径９０〜２９０ｍｍである。本実施形態では、一例として、直径１００ｍｍ程度とする。）が設けられている。リングアレイＲの内周側には、音響レンズと呼ばれる凸面レンズが表面に取り付けられている。このような表面加工をリングアレイＲの内周側に施すことで、各素子が送信する超音波を、リングアレイＲを含む平面内に収束させることができる。なお、リングアレイＲを構成する素子数や直径は図１のものに限定されない。また、本実施例では、各素子を等間隔にリング状に配置しているが、リングアレイＲの形状は円状に限定されず、例えば、六角形、正方形、三角形など任意の多角形、少なくとも一部に曲線や円弧を含む形状、その他任意の形状、または、これらの形状の一部（例えば、半円や円弧）であってもよい。すなわち、リングアレイＲは、アレイＲと一般化することができる。また、アレイＲを構成する各素子の配置は、被検体Ｔの周囲を断続的に少なくとも９０度またはそれ以上囲むような配置であれば好ましいものの、これらに限定されるものではない。また、本発明においては、素子が、被検体に対して様々な角度から、超音波を発信ないし受信することが肝要であって、複数の素子は被検体の周囲に配置されていればよく、一つのアレイとして構成されていなくともよい。
【００２４】
リングアレイＲはスイッチ１１０を介して送受信回路１２０へ取り付けられる。
送受信回路１２０は、リングアレイＲの素子に制御信号（電気的信号）を送信し、超音波の送受信を制御する。たとえば、送受信回路１２０は、素子に対して送信する超音波の周波数や大きさ、波の種類（連続波やパルス波等）、後述する演算回路１３０が血流の流量や流速を計測するために素子から収集する受信データの数（以下、収集する受信データの数、即ち演算に用いるための、被検体Ｔ内における同一部位からのデータの時間変化成分を所得するために複数回の送受信における送受信の回数を「パケット数」とも呼ぶ。）の指示を送る。本実施形態では、一例として、パケット数を８とし、送受信回路１２０は、一度に、２５６素子を駆動させる制御信号を送信するものとする。
【００２５】
スイッチ１１０は、リングアレイＲの１０２４の素子それぞれに接続し、送受信回路１２０からの信号を、任意の素子に伝達し、素子を駆動させる（以下、制御信号を受信した素子を「駆動素子」とも呼ぶ。）。スイッチ１１０は、送受信回路１２０から与えられる制御信号を、１０２４の素子のうち駆動させる２５６の素子に対して分配する。本実施形態に係る超音波診断システム１０は、このスイッチ１１０を用いて送受信回路１２０へ接続される駆動素子を順次切り替えていくことで、リングアレイＲを構成する１０２４素子の駆動を実現する。スイッチ１１０による切り替えは、数ｍｓオーダー以下で行われることが望ましい。これによって、超音波診断システム１０は、ほぼリアルタイムにデータの収集を行うことができる。
【００２６】
演算回路１３０は、素子が受信したドップラー信号を解析することで、被検体Ｔ内の血流の流量や流速を計測するように構成される。また、演算回路１３０は、計測した流量や流速を用いて、被検体Ｔの断層画像を生成するとしてもよい。画像表示装置１４０は、演算回路１３０が生成した撮像画像を表示するモニタである。
【００２７】
図２は、リングアレイＲのＡＡ´断面図である。一例として、リングアレイＲは穴の開いたベッドの下に、ベッドの穴と挿入部ＳＰとが重畳するように設置される。被験者はベッドの穴から、撮像対象となる身体の部位を挿入部ＳＰに挿入する。
【００２８】
リングアレイＲは、素子が送受信回路１２０に指定されたパケット数分の受信データの受信を行うと、図２の矢印の方向に上下して送受信の焦点位置を変更し、再度パケット数分受信データを受信する。このように撮像視野内の受信データの収集（以下、焦点位置を移動しながら受信データを収集することを「スキャン」とも呼ぶ。）を完了するまで焦点位置を移動してスキャンを繰り返すことで輪切りになった２次元の撮像画像を作成することができる。
【００２９】
次に、このように構成された本実施形態に係る超音波診断システム１０の動作について説明する。
【００３０】
＜血流量計測処理＞
まず、超音波診断システム１０の血流量計測処理について説明する。
ここでは、リングアレイＲを構成する全てもしくは概略全ての素子で構成される送受波面（以下全開口）を用いて超音波の送受信を行うことにより血流の流量を計測する場合について説明する。本実施形態に係る送受信回路１２０は、同時に制御できる素子の数が２５６となるように構成されている。そのため、スイッチ１１０によって素子を４つおきの駆動を４回繰り返すことで超音波診断システム１０は、全開口の受信データを収集することができる。
【００３１】
図３は、リングアレイＲの全開口を使った場合の超音波の波形を模式的に示している。等間隔に配置している各素子が送信する超音波は互いに打ち消し合って、中心点に収束する。したがって、リングアレイＲの全開口のデータを用いることで、被検体Ｔのどの方向の動きも検出することが可能となり、かつ点応答関数の幅が狭いために解像度の高い撮像画像を作成することができる。
【００３２】
演算回路１３０は、素子が受信したドップラー信号から撮像画像を作成する。具体的には、演算回路１３０は、パケット間で信号の相互相関をとることで、血液の変化量を算出し、流量を計測する。流量を計算する場合、まずパケット間における信号の相互相関から求まる、パケット内での検出速度に対して、体動速度に対応する低速成分をカットする。この低速成分をカットした相互相関値の大きさを、その場所における流量としてその空間的な分布を画像化する。
【００３３】
流量の場合は流れの向きに関する情報が無い状態でも十分に有益な情報を持っている。そのため、演算回路１３０は、計測した流量と、後述する流速の推定結果とを組合せて画像提示をすることが出来る。画像の提示方法としては、例えば、流量の大きさに比例した出力を持つフィルタを設定し、流量の少ない成分は表示しないようにする方法などが例として挙げられる。流量の大きさに比例した出力を持つフィルタが流速測定結果に適用される場合には、流速測定と流量測定それぞれに適した開口条件を用いて、交互に計測が行われる。流量測定においては開口が極力広く、すなわち送信もしくは受信に用いる素子の分布の広がりが極力広く設定されることで、高い空間解像度が実現される。一方、以下で詳しく説明するように、流速測定においては、ベクトルの成分毎に測定を行うため、送受信感度の空間分布、すなわち点応答関数に異方性を持つ必要がある。そのため、開口に制限、すなわち送信もしくは受信に用いる素子の分布の広がりに制限をすることが望ましい。この結果として、流速計測において用いられる素子の集合は、流量計測において用いられる素子の集合の一部になる。もしくは、流速計測において用いられる素子数は、流量計測において用いられる素子数より少ない。これは必ずしも送受信で共にこの条件を実現する必要はなく、送信か受信のいずれかにおいて、流量計測と流速計測の間で用いる素子数の大小関係もしくは集合と部分集合の関係が満たされればよい。
【００３４】
リングアレイＲの全開口を用いることで、どの方向の動きも検出できる反面、どの方向の動きも検出してしまうために、被検体Ｔの観察部における血流の方向を特定することができない。したがって、本実施形態に係る超音波診断システム１０では、流速の計測を行う場合には、開口を制限して計測する。
【００３５】
＜血流の流速計測処理＞
次に、血流速計測処理について説明する。従来のドップラー信号を用いて速度ベクトルを計測する装置の場合、血流の速度成分のうち、超音波の伝搬方向のみしか動きを検出できない。そこで、本実施形態に係る超音波診断システム１０では、異なる２方向に反射したドップラー信号を解析することで計測した、各方向の速度ベクトルを合成することで、血流の流速を算出することができる。なお、本実施形態においては、互いに直交する２方向のドップラー信号を解析するものとして説明するが、解析に用いられるのは反射角が互いに異なるドップラー信号であればよく、直交するものに限定されない。
流速計測処理における素子の超音波送受信の制御方法として、たとえば構成１〜２の２つの方法があげられる。
【００３６】
１．構成１
図４は、構成１における超音波の送受信の様子を模式的に示している。構成１では、超音波診断システム１０は、４５度（第１の角度の一例である。）の方向Ｄ１から超音波を送信し、直交する、０度（第２の角度の一例である。）と９０度（第３の角度の一例である。）とをそれぞれ中心軸とする２方向においてドップラー信号を受信する。なお、ここでは角度とは、送信開口の中心部及び送信焦点を結んだベクトルと、予め設定された基準線（例えば、素子ｅ０と素子ｅ１０２４の間の位置と円の中心を結んだ直線）との間の角度のことをいう。
図４（Ａ）は、４５度の方向Ｄ１から超音波が送信され、０度を中心軸とするドップラー信号が受信される様子を模式的に示す図である。図４（Ｂ）は、４５度の方向Ｄ１から超音波が送信され、９０度を中心軸とするドップラー信号が受信される様子を模式的に示す図である。
【００３７】
構成１における、超音波診断システム１０の処理フローの一例について、図５を用いて説明する。
送受信回路１２０が所定の周波数の超音波を送受信するための制御信号をパケット数分、生成する。スイッチ１１０は、０〜９０度の位置に配置された素子ｅ１〜２５６が送信する超音波が、挿入部ＳＰの中点に同時に到達するように、順次、制御信号を伝達し駆動させる。例えば幾何学的な中心位置に集束させる場合は、素子ｅ１からｅ２５６まで全て遅延時間を０に設定して制御信号を伝達する。制御信号を与えられた順に、駆動素子が超音波を送信する（Ｓ１０１）。
【００３８】
次に、スイッチ１１０は、−４５度〜１３５度の位置に配置された素子ｅ８９６〜ｅ１０２４、ｅ１〜ｅ３８４に対して制御信号を伝達させ、順次、送受信を繰り返すことでドップラー信号を受信させる（Ｓ１０２）。素子ｅ８９６〜ｅ１０２４、ｅ１〜ｅ１２８は、−４５度から４５度、ｅ１２９〜ｅ３８４は４５度〜１３５度とでドップラー信号を信号処理上２つに分割する（Ｓ１０３）。なお、分割するとは、特定の素子群の信号処理と、別の素子群の信号処理を分離してそれぞれを並列して演算することをいう。本実施形態では、ｅ８９６〜ｅ１０２４、ｅ１〜ｅ１２８の信号処理と、ｅ１２９〜ｅ３８４の信号処理を完全に分離して、それぞれを並列して演算する。
【００３９】
送受信回路１２０が生成したパケット回数分の制御信号を、スイッチ１１０が素子に伝達し終わるまで（Ｓ１０４：ＹＥＳ）Ｓ１０１〜Ｓ１０３の処理が繰り返される。パケット回数分（本実施形態においては８パケット分）の受信データが収集されると、演算回路１３０が、後述する、流速算出処理により、位相変化を抽出し、０度と９０度との位置の速度ベクトルを算出する。演算回路１３０は、算出された０度と９０度との速度ベクトルを合成することで血流の流速を推定する（Ｓ１０５）。
【００４０】
撮像視野内のスキャンが完了していない場合（Ｓ１０６：ＮＯ）、各素子に与える遅延時間の分布を変化させることで、素子が超音波を送受信する焦点位置を移動させる（Ｓ１０７）。このＳ１０１〜Ｓ１０７の処理が、撮像視野内のスキャンが完了するまで（Ｓ１０６：ＹＥＳ）、繰り返される。また三次元の撮像を行う場合は、更にリングアレイＲを上下に移動させ、ここまでに説明した操作を繰り返すことにより、三次元撮像を行う。
【００４１】
このような、構成１の制御方法では、送信素子と受信素子とがパケット内で切り替わるため、スイッチ１１０の切り替え時にノイズが発生することがある。一方で、構成１の制御方法では、送信素子が固定されているためフレームレート（解像度）を落とさずにスキャンすることが可能になる。
【００４２】
なお、構成１の制御方法として、ある開口（アレイ中で送受信を行う部分）から超音波の送信を行い、それを異なる開口で受信し、次に、初めの送信とは異なる開口から超音波を送信し、それを初めの受信と同一の開口で受信するという事ができる。例えば−４５度〜４５度の開口で超音波の送信を行い、０〜９０度の開口で受信し、次に４５度〜１３５度の開口で送信を行い、再び０〜９０度の開口で受信し、これを交互に繰り返す方法を用いてもよい。この場合、受信開口は常に同一なので、片方の送信波形を完全に取得し終わる前にもう片方の送信条件での送信を送ることができる。これによって、高速な撮像が可能となる。さらに、例えば３０〜６０度の開口で超音波を送信し、６０〜１２０度の開口で受信し、１２０〜１５０度の開口で送信し、再び６０〜１２０度の開口で受信する、というように、送信素子と受信素子とが重ならないように、送受信素子の開口を設定することで、より高速な撮像が可能となる。
【００４３】
図９は、受信開口の違いによる、ドップラー信号を送受信した場合の感度の空間分布を計算した結果を示す図である。
図９（ａ）（ｂ）は、４５度の方向Ｄ１から超音波を送信し、０度（図９（ａ））と９０度（図９（ｂ））とをそれぞれ中心軸とする２方向においてドップラー信号を受信した場合の感度の空間分布（点応答関数）を示す図である。この場合、図９（ａ）と、（ｂ）に示す点応答関数の傾きの差が成す角度は、９０度とはなっていない。
他方、図９（ｃ）（ｄ）は、４５度の方向Ｄ１から超音波を送信し、直交する、１３５度（図９（ｃ））と−４５度（図９（ｄ））とをそれぞれ中心軸とする２方向においてドップラー信号を受信した場合の感度の空間分布（点応答関数）を示す図である。この場合、図９（ｃ）と（ｄ）とに示した点応答関数の傾きの差が成す角度は９０度に広がっている。これによって、あらゆる方向における血流の速度ベクトルを撮像することが可能になる。この一例のように、点応答関数の傾きの差が成す角度が９０度となるように、受信位置を設定することが好ましい。
【００４４】
従来のドップラー撮像法においては、超音波伝搬方向とアナログデジタル変換器の時間サンプリング方法が一致する。本発明においては、複数の異なる伝搬方向の送信もしくは受信のエコー信号においては、時間軸サンプリングの方向とそれぞれの伝搬方向が異なる状態で合成されることで、相互相関により時間軸上での速度を定義するのが困難になる。そこで本発明では、観測点毎に独自の時間軸方向を設定し、この時間軸上にデータが配列するように、送信素子位置及び受信素子位置を考慮して取得受信エコーデータの再配列を行うことが好ましい。
【００４５】
２．構成２
図６は、構成２における超音波の送受信の一例を模式的に示している。構成２では、たとえば、超音波診断システム１０は、４５度の方向Ｄ１において超音波を送受信し、次いで１３５度の方向Ｄ２において超音波を送受信する。図６（Ａ）は、４５度の方向Ｄ１から超音波が送信され、４５度を中心軸とするドップラー信号が受信される様子を模式的に示す図である。図６（Ｂ）は、１３５度の方向Ｄ２から超音波が送信され、１３５度を中心軸とする方向のドップラー信号が受信される様子を模式的に示す図である。
【００４６】
構成２における、超音波診断システム１０の処理フローの一例について、図７を用いて説明する。
送受信回路１２０が所定の周波数の超音波を送受信するための制御信号をパケット回数分、生成する。スイッチ１１０は、０〜９０度の位置に配置された素子ｅ１〜２５６が送信する超音波が挿入部ＳＰの中点に同時に到達するように、順次、制御信号を伝達し駆動させる。具体的には送信フォーカス位置と素子位置の距離を推定音速で除した値を元に設定した遅延時間を用いて制御信号を伝達する。制御信号を与えられた順に、駆動素子が超音波を送信する（Ｓ２０１）。さらにスイッチ１１０は、０〜９０度の位置に配置された素子ｅ１〜２５６に対して制御信号を伝達させ、ドップラー信号を受信させる（Ｓ２０２）。
【００４７】
受信が完了すると、次にスイッチ１１０は、９０〜１８０度の位置に配置された素子ｅ２５７〜５１２が送信する超音波が挿入部ＳＰの中点に同時に到達するように、順次、制御信号を伝達し駆動させる。具体的には送信フォーカス位置と素子位置の距離を推定音速で除した値を元に設定した遅延時間を用いて制御信号を伝達する。制御信号を与えられた順に、駆動素子が超音波を送信する（Ｓ２０３）。さらにスイッチ１１０は、９０〜１８０度の位置に配置された素子ｅ２５７〜５１２に対して制御信号を伝達させ、ドップラー信号を受信させる（Ｓ２０４）
【００４８】
送受信回路１２０が生成したパケット回数分の制御信号を、スイッチ１１０が素子に伝達し終わるまで（Ｓ２０５：ＹＥＳ）Ｓ２０１〜Ｓ２０４の処理が繰り返される。
パケット回数分（本実施形態においては８パケット分）の受信データが収集されると、演算回路１３０が、後述する、流速算出処理により、位相変化を抽出し、４５度と１３５度との位置の速度ベクトルを算出する。演算回路１３０は、算出した４５度と１３５度との速度ベクトルを合成することで血流の流速を推定する（Ｓ２０６）。撮像視野内のスキャンが完了していない場合（Ｓ２０７：ＮＯ）、リングアレイＲを上下に移動させ、素子が超音波を送受信する焦点位置を移動させる（Ｓ２０８）。このＳ２０１〜Ｓ２０８の処理が、撮像視野内のスキャンが完了するまで（Ｓ２０７：ＹＥＳ）、繰り返される。
【００４９】
このように、構成２の制御方法では、送信素子と受信素子とがパケット内で切り替わらないためスイッチ処理によるノイズの発生を低減することができる。一方で、送信素子を切り替えて送信処理を２回行う必要があるため撮像画像のフレームレート（解像度）が下がってしまうことがある。
【００５０】
ここまでは、超音波の送信に用いる素子及び受信に用いる素子の両方を限定することで送信と受信ともに開口を絞りフォーカスを掛ける場合に関して説明を行ってきた。しかし、超音波の送信においては、ビーム（開口）を絞らずに、受信で複数の異なる箇所に同時にフォーカスをかける高速撮像手法を用いてもよい。例えば、送信ビーム幅を受信ビーム幅の１０倍程度太く設定し、その幅の中に十本の受信ビームを形成することで、全撮像時間を十倍速くすることが可能となる。より具体的な設定方法としては、送信ビーム幅と受信ビーム幅はそれぞれ開口幅に反比例するので、送信ビーム幅を受信ビーム幅の１０倍に設定する場合は、送信に用いる素子の数を受信に用いる素子の数の１/１０に設定すれば良い。ドップラー撮像においては、撮像の高速化により、よりカットオフの鋭い体動除去フィルタの設計が可能なるので、体動の速度に近い低速血流の描出が可能となる。
【００５１】
上記１．及び２．において具体的な構成の一例を説明したが、本発明は、被検体に対して異なる角度に位置する素子が受信したそれぞれのドップラー信号から、ベクトル合成をして速度ベクトルを算出することが可能な発明であることから、以下のような構成をとることもできる。すなわち、被検体の周囲に配置され、超音波の送信又は受信の少なくともいずれかを行う複数の素子と、複数の素子の一部を構成する素子から被検体内の診断対象に対して超音波を送信し、診断対象から反射される超音波の反射波を、診断対象からの反射角度が互いに異なる領域に配置された２つ以上の素子によって受信するように、複数の素子を制御する制御部と、２つ以上の素子がそれぞれ受信した反射波に基づいて、診断対象の速度ベクトルを演算する演算部と、を備える超音波診断システムである。システムの具体的な制御方法の一例は上記１．ないし２．と同様にすればよい。
【００５２】
さらに、本発明は、被検体に対して２箇所の素子から照射された超音波の反射波を２箇所の素子で受信し、これら２箇所の素子が受信したそれぞれのドップラー信号から、ベクトル合成をして速度ベクトルを算出することが可能な発明であることから、以下のような構成をとることもできる。すなわち、被検体の周囲に配置され、超音波の送信又は受信の少なくともいずれかを行う複数の素子と、複数の素子のうち、第１の領域に配置された素子から被検体内の診断対象に対して第１の超音波を送信し、診断対象から反射される第１の超音波の反射波を、第１の領域に配置された素子で受信し、複数の素子のうち、第２の領域に配置された素子から診断対象に対して第２の超音波を送信し、診断対象から反射される第２の超音波の反射波を、第２の領域に配置された素子で受信するように、複数の素子を制御する制御部と、第１の超音波の反射波と第２の超音波の反射波とに基づいて、前記診断対象の速度ベクトルを演算する演算部と、を備える超音波診断システムである。システムの具体的な制御方法の一例は上記１．ないし２．と同様とすればよい。
【００５３】
３．流速算出処理
次に、演算回路１３０による流速算出処理について説明する。
演算回路１３０は、受信したドップラー信号に基づいて血流の速度ベクトルを解析する。図８（Ａ）は受信素子が受信した８パケット分のドップラー信号の波形を示している。図８（Ａ）のグラフの横軸は、各パケットにおいて、素子が超音波を送信してからの相対的な経過時間を示している。図８（Ｂ）のグラフは、図８（Ａ）の各パケットのドップラー信号の基準時間における振幅をプロットしたものである。音は正弦関数の波形であるため、パケット間の基準時間における位相の変化（図８（Ｂ）のグラフの傾き）が、血流の速度を示すことになる。
【００５４】
演算回路１３０は、図８（Ｂ）に示すグラフから算出した速度と、ドップラー信号を受信した方向とに基づいて、素子が受信したドップラー信号の方向毎に速度ベクトルを算出する。算出した速度ベクトルを合成することで、血流の速度ベクトルを推定することができる。
【００５５】
このように、本実施形態に係る超音波診断システム１０によると、血流の方向に関わらず、流速を計測することができる。
【００５６】
血流がベクトルで計測可能になることは、以下に詳・BR>ラを述べる新規な体動除去フィルタの構築を可能として、低速な血流分布の可視化が実現出来ることも、その重要な利点の一つである。低速血流の可視化は腫瘍をとりまく腫瘍新生血管の描出の可能性を高め、腫瘍検出感度の向上や、腫瘍の鑑別のための情報を増やすことに繋がる。
【００５７】
従来の超音波伝搬方向の速度成分のみを検出するドップラー法においては、呼吸や拍動等に起因する生体組織の動きと、血流を区別するために、速度域のフィルタを用いている。従来の方法では、ある閾値より遅い動きは体動として血流信号から除去して、その閾値より早い動きのみを血流信号として表示している。しかし、このような従来の方法では設定された閾値より遅い低速血流成分は全て除去されてしまう。一方、本実施例に係る超音波診断システム１０では、信号としてベクトル成分を持っているため、体動と低速血流で速度が同じ場合でも、方向が異なる場合は、これを区別することが可能である。
【００５８】
図１０は、体動と低速血流とを区別して取り出す処理を模式的に示す図である。図１０において、実線の矢印は体動に関する速度ベクトルを、点線の矢印は低速血流に関する速度ベクトルを示している。
【００５９】
図１０（ａ）は、体動と血流との速度ベクトルの分布を示している。演算回路１３０は、体動に関する速度ベクトルから、体動の方向を検出する。次に、演算回路１３０は、血流に関する速度ベクトルについて、検出した体動の方向に対して並行な成分と、垂直な成分とに分解する（図１０（ｂ）、（ｃ）−１、（ｃ）−２）。分解された低速血流に関する速度ベクトルの成分のうち、体動に並行な方向の成分から、体動成分が存在する速度域にある低速血流に関する速度ベクトルについて、除去が行われる（図１０（ｄ）（ｅ））。
【００６０】
図１０（ｆ）は、速度が体動と同一の低速血流を除去した後の血流に関するベクトルを再度分布した状態を示している。図１０（ｆ）−１は、このうち、体動に並行な成分を、図１０（ｆ）−２は、体動に垂直な成分を示している。図１０（ｆ）−１、（ｆ）−２に示した成分を合成することで、体動を除去した低速血流に関する速度ベクトルを取得することができる（図１０（ｇ））。このように、本実施形態に係る超音波診断システム１０においては、体動と低速血流とでベクトルの向きが異なる場合に、体動と低速血流とを区別して扱うことができる。さらに、本実施形態に係る超音波診断システム１０において、体動と異なる方向の低速血流体動と垂直な成分に関しては、フィルタを掛けないので、より多くの低速血流信号を保存することができる。
【００６１】
体動を除去するための速度カットオフ値の設定方法は以下のような方法で実現可能である。図１０（ａ）に示したように、体動は広い範囲にわたり同一のベクトルであり、血流は局所毎に異なる。特にここで課題となっている低速血流は、細い血管内を流れる血流であるので、局所毎に血管の走行方向が変化するため、血流の速度ベクトルの局所毎の変化が大きい。そこで、空間的に共通する速度ベクトル成分を体動として扱い、空間的に他の場所との相関の低い速度ベクトル成分を血流として扱い、これらを効果的に分離できるカットオフ値を設定する。
【００６２】
図１１は、ドップラー画像に対してコンパウンドする処理の様子を模式的に示す図である。図１１に示すように、多方向からのドップラー画像をコンパウンドすることで、血管走行に依存して、一方向からの撮像では血管構造が途切れ途切れに可視化されてしまうのを防ぐことが出来る。
【００６３】
なお、図１１に示した処理は、通常の超音波断層像撮像において、撮像対象領域を取り囲むように設定された複数の異なる方向から送受信して撮像した画像（例えば断層像である）を合成（コンパウンド）する方法を発展させた方法である。断層像撮像におけるコンパウンドでは、対象物内に存在する界面や散乱体の反射率の角度依存性の効果を抑制することが出来る。
【００６４】
４．その他の体動除去手法（特異値分解）
上記の１．から３．までの説明では、二方向の速度推定ステップと、速度成分毎に体動と血流を分解して体動除去を行なうステップから構成される例に関する説明を行った。ここでは、体動及び血流から構成される動きに関して、二方向の情報を同時に用いて、体動除去を行う手法について説明する。
【００６５】
まず信号処理の自由度を増やすために、信号取得に関する制御方法の変更に関する説明を行う。上記の１．から３．までの実施例においては、撮像領域を空間的に分割し、分割された領域毎に超音波を集束させて送信を行い（図５のＳ１０７や図７のＳ２０７）い、次に所定のパケット回数（８から１０程度：図５のＳ１０４や図７のＳ２０５）だけ定められた送信焦点に対して送受信を繰り返す方法を用いていた。血流空間分布の動的撮像に関しては、空間分割数（送信焦点位置の数）とパケット数の積に対して撮像速度は概略反比例する（概略としたのは異なる送信条件間で、パケットを入れ込むことが可能な場合があるためである。この場合は空間分割数とパケット数の積の逆数より早い撮像レートでの計測が可能である）。
【００６６】
一般的にパケット数を増やすことで信号処理手法の設計自由度が向上する。トータルの撮像時間を維持したまま、パケット数を増やすための一つの方法は、空間分割数を削減することである。送信と受信の焦点数を共に削減すると空間解像度の低下につながるが、受信焦点は複数の異なる受信焦点位置に関する信号処理を並列して行うことが可能である。このため送信ビームの集束領域を拡大し、送信フォーカスに関する空間分割数を低減、受信フォーカスに関する空間分割数を維持したまま、パケット数を増やす。具体的には、パケット数は６４〜５１２程度の値などが用いられる。この処理においては図５や図７において、Ｓ１０７やＳ２０７を取り除いた制御フローとなる。
【００６７】
このようにパケット数を拡大し、空間二次元と時間の次元を合わせた計３次元の、体組織の体動成分と血流成分の含まれるデータに対して、本発明における体動除去の手法においては、行列演算によって、体動の特徴と血流の特徴の区別を行い、体動成分のみの除去を行う。行列演算として多様な手法は二次元行列に対して構成されたものが多いので、そのようなこれまでの知見を活用するには、計３次元のデータを二次元データに圧縮を行うことが有利である。
【００６８】
図１２を用いて、上述の二種類の３次元データを１つの二次元データに圧縮する方法について説明する。上記の空間二次元と時間の次元を合わせた計３次元のデータは二つの方向成分から構成されるベクトル情報である。つまり、二種類の３次元データを１つの二次元データに圧縮する必要がある。そのための第一ステップの一例として、図１２に示すように、Ｃａｓｏｒａｔｉ行列とよばれる方法（詳細は文献：IEEE Trans. Ultrason. Ferr. Freq. Contrl., vol. 34 No.11 pp.2271-2285, 2015.参照）により、画素空間ｘｙに関して、例えば超音波伝搬方向をｘ方向とした時に、ｘ方向に一列ずつ切り出して、並べ直すことで、ｘｙ行×１列の１次元に変換を行い、この新しいｘｙが縮約した空間１次元と、時間１次元の２次元行列を構成する。ここで空間を1次元にするのは、個々の画素の時間変化成分を追跡し易くするためである。またｘ方向に１列ずつ切り出すのは、点応答関数の位相の空間勾配がｘ方向に急峻であるため、ｘ方向に対して感度高く動きを検出するためである。（ｙ方向に1列ずつ抽出すると、Ｃａｓｏｒａｔｉ行列中で、不連続な動きをしてしまうため、固有値分解を行う時に不利になる。）
【００６９】
次に、本発明の特徴である、任意の２方向であるＡ方向（図１２（Ａ）（１））、とＢ方向（図１２（Ａ）（２））の２種類のＣａｓｏｒａｔｉ行列を一つの行列に纏める操作に関して、複数の例を示して説明する。
１．点応答関数の異方性を小さく（図３）することで、エコー信号に二方向の動き成分が含まれるように構成し、一つの空間ｖｓ時間の二次元Ｃａｓｏｒａｔｉ行列を構成する。
２．Ａ方向ｖｓ時間と、Ｂ方向ｖｓ時間の二つの２次元Ｃａｓｏｒａｔｉ行列を空間次元方向（図１２（Ｂ）の縦の向き）に連結して、図１２（Ｂ）に示すように、一つのＣａｓｏｒａｔｉ行列を構成する。（この方法の小さなアレンジとしては、図１２（Ｂ）に示すように上半分と下半分に方向Ａと方向Ｂを並べるのとは異なり、縞々になるように方向Ａと方向Ｂを交互に入れ込む再配列法などもある。）
これらの方法で構成された２次元のＣａｓｏｒａｔｉ行列に含まれる体動と血流の分解には、Ｃａｓｏｒａｔｉ行列の共分散行列に対する特異値分解や、非負値行列因子分解、などの主成分分析などの分野で広く使われている方法などが適用可能である。
【００７０】
以下、一つの例としてＣａｓｏｒａｔｉ行列の共分散行列の特異値分解を用いた例に関して説明を行う。演算回路１３０は、時間の経過に応じた複数の画像を作成する。演算回路１３０は、作成した複数の画像（画素ｘ，画素ｙ，時間ｔからなる３次元データ）を、縦方向を画素成分（ｘｙ：空間分布）とし、横方向を時間成分（ｔ：時間分布）とする２次元の行列（以下、「データＳ」とも呼ぶ。）に変換する。すなわち、変換後は、１枚の画像データが１行のベクトルで表される。
【００７１】
次に、演算回路１３０は、データＳに対して特異値分解を行い、特異値行列を算出する。さらに演算回路１３０は、算出した特異値行列に基づいて、データＳに関する共分散行列ＳＳ*、Ｓ*Ｓの固有値λiを算出することで、共分散行列ＳＳ*の固有値λｉに対する固有ベクトルｕｉ、及び共分散行列Ｓ*Ｓの固有値λｉに対する固有ベクトルｖｉをそれぞれ算出する。なお、「Ｓ*」はＳの転置行列である。このとき、固有ベクトルｕｉはデータＳの空間分布の成分を表し、固有ベクトルｖｉはデータＳの空間分布の時間変化を表していると考えることができる。この固有ベクトルｕｉ、ｖｉは、それぞれλｉの値が大きい成分（ｉ＝１近辺）は、信号強度が大きく、またコヒーレンス性が高いという性質がある。この性質は、体組織からの信号の特徴と類似する。従って、データＳからλｉの値が大きい成分を除去することで体組織の信号を除去することが可能になると考えられる。なお、除去するλｉの値が大きい成分に関して、ｉがとりうる値の範囲は、１以上から任意の値に設定することが可能である。
【００７２】
本実施形態においては、図１１に示すようなコンパウンド後の画像に対して特異値分解を行うことで、より効果的に体動を除去することが可能になる。
【００７３】
図１２は、本実施形態に係る体動除去の手法を模式的に示す図である。
【００７４】
図１２（Ａ）は、方向Ａから所定の時間ごとに撮像した複数の画像と、方向Ｂから所定の時間ごとに撮像した複数の画像を模式的に示している。このように２方向から画像を撮像する場合、２方向それぞれの撮像画像について特異値分解を行い、体動成分の除去を行うことができる。
【００７５】
他方で、図１２に示す体動除去の手法では、複数の方向から順次、ドップラー信号を送受信することで撮像した画像から、上述のデータＳの１列に相当するベクトルデータを作成する。具体的には、図１２（Ｂ）の例では、時間ｔに方向Ａから送受信したドップラー信号から得られた画像（ｎＡｘ，ｎＡｙ，ｔ）と、方向Ａから送受信した時間ｔから所定の時間Δｔ以内に、方向Ｂから送受信したドップラー信号から得られた画像（ｎＢｘ，ｎＢｙ，ｔ＋Δｔ）とを、同一の時間に送受信した信号から得られた画像であるとみなして、データＳにおける１列分のベクトルデータ（ｎＡｘ×ｎＡｙ＋ｎＢｘ×ｎＢｙ）を生成する。このようなベクトルデータを時間経過に応じて複数個生成することで、横方向に複数列の時間成分を有するデータＳを構成する。演算回路１３０は、この行列データＳに特異値分解を行う。これによって、１方向から撮像された画像だけでは取得できなかった体動の情報を取得することが可能になり、より効果的に体動成分を除去することができる。
【００７６】
以上では、二方向成分の例に関して説明を行った。しかしリングアレイの特徴を考慮すると、図１１に示すように３方向以上の情報を活用することも有益である。特に低速血流が対象となる場合においては、撮像速度の制約が小さいため、より多くのフレーム数の取得が可能である。３方向以上の超音波受信を行い、３方向以上のＣａｓｏｒａｔｉ行列から１つのＣａｓｏｒａｔｉ行列への再配列を行うことで、これまでに説明を行った方法と同様の処理を適用することが可能である。
【００７７】
図１３乃至図１５を参照して、上記で説明を行った二つの直交する方向のエコー成分から体動を除去して血流成分を抽出する方法について、その有効性について、具体的な計算結果を用いて以下に説明する。まず計算モデルは、散乱体分布に対して、体動と血流を模擬した動きを与え、これに超音波エコー信号取得のための点応答関数の２次元コンボリューション演算を適用する。
点応答関数としては、方向Ａに対応する点応答関数と、方向Ｂに対応する点応答関数（いずれも形状は図４や図６に示す一組の形状となる）。図１３は、散乱体分布に対して、体動と血流を模擬した動きを与えた１２８フレームの空間分布データを時間方向に投影した結果を示すものである。ここでは説明のために、体動を模擬する散乱体の数を２の６乗個、血流を模擬する散乱体の数も２の６乗個として、それぞれの輝度比を１として可視化しているが、以下の実際の計算においては、体動を模擬する散乱体の数を２の１２乗個、血流の動きを模擬する散乱体の数を２の１０乗個として、血球の輝度が体組織の輝度の１/１０となるように設定した。血流は撮像面内を円環状に流れ、体動は一方向にsin波に従った速度変化をするように与えた（１２８フレームで１周期。振幅は画素空間のピクセル間隔の４０倍）
【００７８】
図１４及び図１５は比較例の手法によって血流像の表示を行った結果を示すものである。図１４は、従来法（周波数空間においてバタワースフィルタを適用）によって、方向Ａと方向Ｂのそれぞれで体動除去を行い、血流像の表示を行った結果である。図１４に示すように、血流情報が全く表示されていないことが確認出来る。次に図１５は、従来法から容易に類推できる方法として、方向毎（ここでは、方向Ａと方向Ｂ）に特異値分解を行った結果である。この結果では、円環状の血流がそれぞれ描出されているが、体動の影響も大きく、円が大きくにじんで画像化されていることが分かる。
【００７９】
図１６は、本実施形態における体動除去の手法によって血流像の表示を行った結果を示すものである。図１６から、本実施形態の体動除去の手法によれば、体動によるにじみもなく、血流信号のみが抽出出来ていることが確認できる。なお、図１５でも、あらかじめ血流の空間分布形状が分かっていれば、血流と体動によるにじみを識別することが出来るが、臨床現場においては、血流の空間分布は既知ではないので、にじみと真の情報を区別することは困難である。従って、図１６に示した方法が優れる。
【００８０】
以上の説明において、３の体動除去方法では、画素を構成する一点もしくは、空間を区画分けした1区画ごとに着目して速度ベクトルを算出する方法である。一方、４の体動除去の方法は、互いに向きが異なる点応答関数を用いた撮像した二枚の画像を纏めて行列を構成し、体動除去処理を行うことで、二方向成分の空間分布に着目して処理を行う方法である。図１７を参照してそれぞれの方法について詳細に説明する。
【００８１】
図１７（Ａ）は３の体動除去の方法に対応する。送受信開口の中心（開口の両端の素子の各座標ｘｙの平均値でも良いし、重心などでも良い）点と着目点を結んだ線分が、該当する計測におけるベクトル成分となる。送信もしくは受信もしくはその両方において、着目点に集束するように開口を構成する。画像は複数の着目点で構成されるので、この着目点が空間上に分布するように、いわゆる焦点走査を行うことで断層像を構成する。
【００８２】
一方、図１７（Ｂ）は、４の体動除去の方法に対応する。送信開口を絞ることにより、送信では焦点を形成しない。このようにすると受信において、複数の受信焦点に対応した並列処理と組合せることで、一度に複数の観測点に関して撮像を行うことが可能である。送信開口をリング上の二カ所異なる位置に設定することで、点応答関数の向きが異なる二枚の撮像を行うことが出来る。（このケースでは、個々の着目点と開口中心点を結んだ線分の傾きは、厳密には一定ではない。その結果、図の点応答関数の回転角度も厳密には異なるが、ここでは概略一定として示した略図で説明を行う。）このように二枚（もしくはそれ以上）の撮像を行い、合成し、Ｃａｓｏｒａｔｉ行列の共分散行列を計算、特異値分解を行うことで体動除去を行う。
【００８３】
なお、送信においては開口を狭めることで集束を緩め、受信においては開口を広げることで個々の受信フォーカス点への集束を強めるというように、送信と受信で操作が非対称であることが好ましい理由は、以下の通りである。超音波の送信に関しては、一度送信されてしまうとエコーデータの取得後後に送信条件を変更することが困難であり、一度の送信で撮像域全体にエネルギーを届けるためには、開口を狭くする必要がある。受信に関しては、受信素子番号の情報が残った状態でエコーデータが保持されていれば、同時に複数の異なる受信焦点に関するデータ処理が可能である。このような送信と受信の特徴の違いによって操作の非対称さが生じる。
【００８４】
図１７（Ｂ）の方法においては、複数回の異なる送信開口条件で取得した、エコー信号の合成もしくは撮像データの合成により、空間解像度もしくはコントラスト解像度の高い、撮像を行うことも好ましい。その場合、一つの撮像に用いた少なくとも１つ以上の複数の開口を構成する素子の和集合を領域と呼ぶ。前記の方向Ａおよび方向Ｂのデータ取得においては、互いの領域が一致しないように開口の和集合を設定する。
【００８５】
[その他の実施形態]
以上、本発明の実施形態について述べたが、本発明は既述の実施形態に限定されるものではなく、本発明の技術的思想に基づいて各種の変形及び変更が可能である。
【００８６】
既述の実施形態においては、素子が送信する超音波はパルスドップラーであり、各素子は送信素子と受信素子との両方の機能を備えるものとして説明したがこれに限定されない。たとえば、素子が送信する超音波は連続波ドップラーであってもよい。この場合、送信素子と受信素子とは別素子で構成されることが望ましい。
また例えば、超音波診断システム１０は、撮像視内を、血流の流量の測定を行うパケット（全開口で送受信）と流速の測定を行うパケット（開口制限で送受信）とを交互に行ってスキャンするものとしても良い。
【符号の説明】
【００８７】
１０             超音波診断システム
１１０           スイッチ
１２０           送受信回路
１３０           演算回路
１４０           画像表示装置
Ｒ               リングアレイ
Ｔ               被検体
ＳＰ             挿入部
ｅ１〜１０２４   素子
Ｐ０１〜０４     凹面型振動子 
【図１】
2017051903.tif 000003
【図２】
2017051903.tif 000004
【図３】
2017051903.tif 000005
【図４】
2017051903.tif 000006
【図５】
2017051903.tif 000007
【図６】
2017051903.tif 000008
【図７】
2017051903.tif 000009
【図８】
2017051903.tif 000010
【図９】
2017051903.tif 000011
【図１０】
2017051903.tif 000012
【図１１】
2017051903.tif 000013
【図１２】
2017051903.tif 000014
【図１３】
2017051903.tif 000015
【図１４】
2017051903.tif 000016
【図１５】
2017051903.tif 000017
【図１６】
2017051903.tif 000018
【図１７】
2017051903.tif 000019
【手続補正書】
【提出日】平成30年3月30日(2018.3.30)
【手続補正１】
【補正対象書類名】明細書
【補正対象項目名】００４４
【補正方法】変更
【補正の内容】
【００４４】
従来のドップラー撮像法においては、超音波伝搬方向とアナログデジタル変換器の時間サンプリング方向が一致する。本発明においては、複数の異なる伝搬方向の送信もしくは受信のエコー信号においては、時間軸サンプリングの方向とそれぞれの伝搬方向が異なる状態で合成されることで、相互相関により時間軸上での速度を定義するのが困難になる。そこで本発明では、観測点毎に独自の時間軸方向を設定し、この時間軸上にデータが配列するように、送信素子位置及び受信素子位置を考慮して取得受信エコーデータの再配列を行うことが好ましい。
【手続補正２】
【補正対象書類名】明細書
【補正対象項目名】００４８
【補正方法】変更
【補正の内容】
【００４８】
送受信回路１２０が生成したパケット回数分の制御信号を、スイッチ１１０が素子に伝達し終わるまで（Ｓ２０５：ＹＥＳ）Ｓ２０１〜Ｓ２０４の処理が繰り返される。
パケット回数分（本実施形態においては８パケット分）の受信データが収集されると、演算回路１３０が、後述する、流速算出処理により、位相変化を抽出し、４５度と１３５度との位置の速度ベクトルを算出する。演算回路１３０は、算出した４５度と１３５度との速度ベクトルを合成することで血流の流速を推定する（Ｓ２０６）。撮像視野内のスキャンが完了していない場合（Ｓ２０８：ＮＯ）、リングアレイＲを上下に移動させ、素子が超音波を送受信する焦点位置を移動させる（Ｓ２０７）。このＳ２０１〜Ｓ２０８の処理が、撮像視野内のスキャンが完了するまで（Ｓ２０８：ＹＥＳ）、繰り返される。
【手続補正３】
【補正対象書類名】明細書
【補正対象項目名】００６０
【補正方法】変更
【補正の内容】
【００６０】
図１０（ｆ）は、速度が体動と同一の低速血流を除去した後の血流に関するベクトルを再度分布した状態を示している。図１０（ｆ）−１は、このうち、体動に並行な成分を、図１０（ｆ）−２は、体動に垂直な成分を示している。図１０（ｆ）−１、（ｆ）−２に示した成分を合成することで、体動を除去した低速血流に関する速度ベクトルを取得することができる（図１０（ｇ））。このように、本実施形態に係る超音波診断システム１０においては、体動と低速血流とでベクトルの向きが異なる場合に、体動と低速血流とを区別して扱うことができる。さらに、本実施形態に係る超音波診断システム１０において、体動と異なる方向の低速血流成分に関しては、フィルタを掛けないので、より多くの低速血流信号を保存することができる。
【手続補正４】
【補正対象書類名】特許請求の範囲
【補正対象項目名】全文
【補正方法】変更
【補正の内容】
【特許請求の範囲】
【請求項１】
被検体の周囲に配置され、超音波の送信又は受信の少なくともいずれかを行う複数の素子と、
前記複数の素子のうち、第１の領域に配置された素子の少なくとも一部によって、前記被検体内の診断対象に対して、第１の角度で超音波を送信し、前記複数の素子のうち第２の領域に配置された素子の少なくとも一部によって、前記診断対象から第２の角度で反射される前記超音波の反射波を受信し、前記複数の素子のうち第３の領域に配置された素子の少なくとも一部によって、前記診断対象から前記第２の角度とは異なる第３の角度で反射される前記超音波の反射波を受信するように、前記複数の素子を制御する制御部と、
前記第２の領域に配置された素子の少なくとも一部が受信した反射波と前記第３の領域に配置された素子の少なくとも一部が受信した反射波とに基づいて、前記診断対象の速度ベクトルを演算する演算部と、
を備える超音波診断システム。
【請求項２】
被検体の周囲に配置され、超音波の送信又は受信の少なくともいずれかを行う複数の素子と、
前記複数の素子のうち、第１の領域に配置された素子の少なくとも一部によって、前記被検体内の診断対象に対して、第１の角度で第１の超音波を送信し、前記複数の素子のうち前記第１の領域に配置された素子の少なくとも一部によって、前記診断対象から前記第１の角度で反射される前記第１の超音波の反射波を受信し、前記複数の素子のうち、第２の領域に配置された素子の少なくとも一部によって、前記診断対象に対して、第２の角度で第２の超音波を送信し、前記複数の素子のうち前記第２の領域に配置された素子の少なくとも一部によって、前記診断対象から前記第２の角度で反射される前記第２の超音波の反射波を受信するように、前記複数の素子を制御する制御部と、
前記第１の領域に配置された素子の少なくとも一部が受信した反射波と前記第２の領域に配置された素子の少なくとも一部が受信した反射波とに基づいて、前記診断対象の速度ベクトルを演算する演算部と、
を備える超音波診断システム。
【請求項３】
前記演算部は、さらに、
前記診断対象中を流れる流体の速度を計測する、速度ベクトルを計測するモードと、流量を計測するモードとを有し、
前記速度ベクトルを計測するモードにおける前記超音波の送信を行う素子が分布する第１の範囲と、前記超音波の受信を行う素子が分布する第２の範囲と、前記流量を計測するモードにおける前記超音波の送信を行う素子が分布する第３の範囲と、前記超音波の受信を行う素子が分布する第４の範囲とにおいて、前記第１の範囲が前記第３の範囲より狭い、または前記第２の範囲が前記第４の範囲より狭い、請求項１または２に記載の超音波診断システム。
【請求項４】
前記演算部は、
前記速度ベクトルの計測を行うモードにおいて、前記速度ベクトルにおける速度成分ごとに異なるカットオフ値を設定する体動除去フィルタを備えることを特徴とする、請求項３に記載の超音波診断システム。
【請求項５】
前記演算部は、
前記反射波の受信時において受信フォーカス毎に、独立した時間軸を設定し、異なる時相に取得された信号間の相互相関の演算において、相互相関の計算軸に前記独立した時間軸を用いることを特徴とする、請求項１または２に記載の超音波診断システム。
【請求項６】
被検体の周囲に配置され、超音波の送信又は受信の少なくともいずれかを行う複数の素子と、
前記複数の素子のうち少なくとも第１の領域に配置された素子によって、前記被検体内の診断対象から反射される第１の超音波の反射波を受信し、前記複数の素子のうち少なくとも第２の領域に配置された素子によって、前記診断対象から反射される第２の超音波の反射波を受信するように、前記複数の素子を制御する制御部と、
前記第１の領域に配置された素子が受信した前記第１の超音波の反射波から第１の画像の撮像を行い、前記第２の領域に配置された素子が受信した前記第２の超音波の反射波から第２の画像の撮像を行い、前記第１の画像と前記第２の画像のそれぞれについて、画像を並べ替えて構成されるベクトルを時間方向に並べた２つの行列の算出を行い、前記２つの行列を時間方向と直交する方向に並べた第３の行列の算出を行い、前記第３の行列から、前記診断対象の血流情報を抽出する、演算部とを備える超音波診断システム。
【請求項７】
被検体の周囲に配置され、超音波の送信又は受信の少なくともいずれかを行う複数の素子と、
前記複数の素子のうち少なくとも第１の領域に配置された素子によって、前記被検体内の診断対象に第１の超音波を送信し、前記複数の素子のうち少なくとも第２の領域に配置された素子によって、前記診断対象に第２の超音波を送信するように、前記複数の素子を制御する制御部と、
前記第１の領域に配置された素子が送信した前記第１の超音波の反射波から第１の画像の撮像を行い、前記第２の領域に配置された素子が送信した前記第２の超音波の反射波から第２の画像の撮像を行い、前記第１の画像と前記第２の画像のそれぞれについて、画像を並べ替えて構成されるベクトルを時間方向に並べた２つの行列の算出を行い、前記２つの行列を時間方向と直交する方向に並べた第３の行列の算出を行い、前記第３の行列から、前記診断対象の血流情報を抽出する、演算部とを備える超音波診断システム。
【請求項８】
前記演算部は、
前記第３の行列から体動と血流に分離を行い、体動を除去するフィルタを備えたことを特徴とする、請求項６又は７に記載の超音波診断システム。
【請求項９】
前記体動を除去するフィルタは、特異値分解もしくは固有値分解であることを特徴とする、請求項８に記載の超音波診断システム。
【請求項１０】
被検体の周囲に配置され、超音波の送信又は受信の少なくともいずれかを行う複数の素子と、を備える診断装置を用いて行う超音波診断方法であって、
前記複数の素子のうち第１の領域に配置された素子の少なくとも一部によって、前記被検体内の診断対象に対して、第１の角度で超音波を送信し、前記複数の素子のうち第２の領域に配置された素子の少なくとも一部によって、前記診断対象から第２の角度で反射される前記超音波の反射波を受信し、前記複数の素子のうち第３の領域に配置された素子の少なくとも一部によって、前記診断対象から前記第２の角度とは異なる第３の角度で反射される前記超音波の反射波を受信するように、前記複数の素子を制御するステップと、
前記第２の領域に配置された素子の少なくとも一部が受信した反射波と前記第３の領域に配置された素子の少なくとも一部が受信した反射波とに基づいて、前記診断対象の速度ベクトルを演算するステップと、
を備える超音波診断方法。
【請求項１１】
被検体の周囲に配置され、超音波の送信又は受信の少なくともいずれかを行う複数の素子と、を備える診断装置を用いて行う超音波診断方法であって、
前記複数の素子のうち、第１の領域に配置された素子の少なくとも一部によって、前記被検体内の診断対象に対して、第１の角度で第１の超音波を送信し、前記複数の素子のうち前記第１の領域に配置された素子の少なくとも一部によって、前記診断対象から前記第１の角度で反射される前記第１の超音波の反射波を受信し、前記複数の素子のうち、第２の領域に配置された素子の少なくとも一部によって、前記診断対象に対して、第２の角度で第２の超音波を送信し、前記複数の素子のうち前記第２の領域に配置された素子の少なくとも一部によって、前記診断対象から前記第２の角度で反射される前記第２の超音波の反射波を受信するように、前記複数の素子を制御するステップと、
前記第１の領域に配置された素子の少なくとも一部が受信した反射波と前記第２の領域に配置された素子の少なくとも一部が受信した反射波とに基づいて、前記診断対象の速度ベクトルを演算するステップと、
を備える超音波診断方法。
【請求項１２】
被検体の周囲に配置され、超音波の送信又は受信の少なくともいずれかを行う複数の素子と、
前記複数の素子の一部を構成する素子から被検体内の診断対象に対して超音波を送信し、前記診断対象から反射される前記超音波の反射波を、前記診断対象からの反射角度が互いに異なる領域に配置された２つ以上の開口によって受信するように、前記複数の素子を制御する制御部と、
前記２つ以上の開口を構成する素子群がそれぞれ受信した反射波に基づいて、前記診断対象の速度ベクトルを演算する演算部と、
を備える超音波診断システム。
【請求項１３】
被検体の周囲に配置され、超音波の送信又は受信の少なくともいずれかを行う複数の素子と、
前記複数の素子のうち、第１の領域に配置された素子から被検体内の診断対象に対して第１の超音波を送信し、前記診断対象から反射される前記第１の超音波の反射波を、前記第１の領域に配置された素子で受信し、
前記複数の素子のうち、第２の領域に配置された素子から前記診断対象に対して第２の超音波を送信し、前記診断対象から反射される前記第２の超音波の反射波を、前記第２の領域に配置された素子で受信するように、前記複数の素子を制御する制御部と、
前記第１の超音波の反射波と前記第２の超音波の反射波とに基づいて、前記診断対象の速度ベクトルを演算する演算部と、
を備える超音波診断システム。
【手続補正５】
【補正対象書類名】図面
【補正対象項目名】図４
【補正方法】変更
【補正の内容】
【図４】
2017051903.tif 000020
【手続補正６】
【補正対象書類名】図面
【補正対象項目名】図１０
【補正方法】変更
【補正の内容】
【図１０】
2017051903.tif 000021
【手続補正７】
【補正対象書類名】図面
【補正対象項目名】図１２
【補正方法】変更
【補正の内容】
【図１２】
2017051903.tif 000022
【国際調査報告】
2017051903.tif 000023
2017051903.tif 000024
2017051903.tif 000025
2017051903.tif 000026